(57)【要約】【課題】従来の平板表示装置が有している多様な短所を解決する新たな平板表示装置を提供する。【解決手段】本発明では複数の駆動溝を有し、第１及び第２表面を有する隔壁、駆動溝内に配置され、電荷を有する反射体、隔壁の第１表面側に形成されている第１電極及び隔壁の第２表面側に形成されている第２電極を含み、駆動溝の第１及び第２表面と平行な断面の面積は互いに同一な電界駆動反射型表示装置を提供する。【選択図】図１
2008535033.tif 000002
【特許請求の範囲】
【請求項１】
複数の駆動溝を有し、第１及び第２表面を有する隔壁、
前記駆動溝内に配置され、電荷を有する反射体、
前記隔壁の第１表面側に形成されている第１電極、及び
前記隔壁の第２表面側に形成されている第２電極を含み、
前記第１及び第２表面と平行な前記各駆動溝の断面積は互いに同一であることを特徴とする電界駆動反射型表示装置。
【請求項２】
前記反射体の表面色は白であることを特徴とする、請求項１に記載の電界駆動反射型表示装置。
【請求項３】
前記反射体の表面は赤色、緑色または青色の中から選択されたいずれか１色でコーティングされていることを特徴とする、請求項１に記載の電界駆動反射型表示装置。
【請求項４】
前記駆動溝は円筒形溝であることを特徴とする、請求項１に記載の電界駆動反射型表示装置。
【請求項５】
前記反射体は球形であることを特徴とする、請求項１に記載の電界駆動反射型表示装置。
【請求項６】
前記反射体の直径は前記駆動溝の直径より小さいことを特徴とする、請求項５に記載の電界駆動反射型表示装置。
【請求項７】
前記駆動溝内には不活性気体、窒素、乾燥空気のうちの少なくとも１つが充填されていることを特徴とする、請求項１に記載の電界駆動反射型表示装置。
【請求項８】
前記駆動溝内は真空状態が維持されることを特徴とする、請求項１に記載の電界駆動反射型表示装置。
【請求項９】
前記隔壁の第１表面と前記第１電極の間に形成されている第１絶縁層と、
前記隔壁の第２表面と前記第２電極の間に形成されている第２絶縁層をさらに含むことを特徴とする、請求項１に記載の電界駆動反射型表示装置。
【請求項１０】
前記第１電極は複数で形成され、前記第２電極は前記第１電極のすべてと対応する単一電極で形成されており、
前記隔壁の第１表面側に形成され、かつ、前記第１電極それぞれと接続され、前記第１電極それぞれに印加される電圧を制御するスイッチング素子をさらに含むことを特徴とする、請求項１に記載の電界駆動反射型表示装置。
【請求項１１】
前記スイッチング素子は薄膜トランジスターであることを特徴とする、請求項１０に記載の電界駆動反射型表示装置。
【請求項１２】
前記隔壁は黒色であることを特徴とする、請求項１に記載の電界駆動反射型表示装置。
【請求項１３】
前記隔壁は黒色顔料を含む感光膜をマスクとして使用して露光及び現像して形成することを特徴とする、請求項１２に記載の電界駆動反射型表示装置。
【請求項１４】
前記隔壁の第１表面と第２表面のうちのいずれか一方に形成されている遮光層をさらに含むことを特徴とする、請求項１に記載の電界駆動反射型表示装置。
【請求項１５】
前記第１電極の外面と前記第２電極の外面のうちの一側に配置されている絶縁基板をさらに含むことを特徴とする、請求項１に記載の電界駆動反射型表示装置。
【請求項１６】
前記絶縁基板は、前記第１電極の外面に配置されている第１基板と、前記第２電極の外面に配置されている第２基板からなることを特徴とする、請求項１５に記載の電界駆動反射型表示装置。
【請求項１７】
前記第１電極の１つは複数の前記駆動溝と重なることを特徴とする、請求項１に記載の電界駆動反射型表示装置。
【請求項１８】
前記第２電極は透明な導電物質からなることを特徴とする、請求項１に記載の電界駆動反射型表示装置。
【請求項１９】
前記第２電極はＩＴＯまたはＩＺＯからなることを特徴とする、請求項１８に記載の電界駆動反射型表示装置。
【請求項２０】
前記第１電極及び第２電極は帯状に形成され、前記第１電極と前記第２電極は互いに交差することを特徴とする、請求項１に記載の電界駆動反射型表示装置。
【請求項２１】
前記駆動溝は前記隔壁内に形成されていて底を有することを特徴とする、請求項１に記載の電界駆動反射型表示装置。
【請求項２２】
前記反射体によって光が反射される時間を調節することで階調を表示することを特徴とする、請求項１に記載の電界駆動反射型表示装置。
【請求項２３】
前記第１電極と前記第２電極の間に断続的かつ反復的に電圧を印加することにより、前記反射体が光を反射する時間を調節する、請求項２２に記載の電界駆動反射型表示装置。
【請求項２４】
前記第１電極と前記第２電極の間に印加する電圧の強さを変化させて、前記反射体の前記駆動溝内の位置を調節することにより、階調を表示することを特徴とする、請求項１に記載の電界駆動反射型表示装置。
【発明の詳細な説明】
【技術分野】
【０００１】
本発明は平板表示装置に関し、特に電界駆動反射型表示装置に関するものである。
【背景技術】
【０００２】
現在知られている平板表示装置には、液晶表示装置（ＬＣＤ）、プラズマ表示装置（ＰＤＰ）、有機電界発光表示装置（ＯＬＥＤ）、電界効果表示装置（ＦＥＤ）、電気泳動表示装置などがある。この中で液晶表示装置（ＬＣＤ）は、モニターとテレビなどに幅広く使用されている。プラズマ表示装置（ＰＤＰ）は、大型テレビに幅広く使用されている。有機電界発光表示装置（ＯＬＥＤ）は携帯電話機の画面などに利用され、中大型表示装置に応用するための研究が活発に進められている。その他の電界効果表示装置（ＦＥＤ）や電気泳動表示装置もモニターやテレビまたは電子ペーパーなどに適用するための研究が進められている。
【発明の開示】
【発明が解決しようとする課題】
【０００３】
しかし、現在まで知られている上述の表示装置はそれぞれ短所を有している。例えば、液晶表示装置の場合には視野角が狭くて応答速度が遅く、製造費用が高価である短所があり、プラズマ表示装置の場合には画素を一定サイズ以下に製造することが難しく、高電力消費と多量の熱を放出するなどの短所がある。
【課題を解決するための手段】
【０００４】
本発明は従来の平板表示装置が有している多様な短所を解決する新たな平板表示装置を提供することにある。
【０００５】
前記目的を達成するために本発明では、複数の駆動溝を有し、第１及び第２表面を有する隔壁、前記駆動溝内に配置されて電荷を有する反射体、前記隔壁の第１表面側に形成されている第１電極、及び、前記隔壁の第２表面側に形成されている第２電極を含み、前記反射体の表面は白色である電界駆動反射型表示装置が提供される。
【０００６】
また、本発明の他の形態によれば、複数の駆動溝を有し、第１及び第２表面を有する隔壁、前記駆動溝内に配置されて電荷を有する反射体、前記隔壁の第１表面側に形成されている第１電極及び前記隔壁の第２表面側に形成されている第２電極を含み、前記反射体の表面は赤色、緑色または青色の中から選択されたいずれか１色でコーティングされている電界駆動反射型表示装置が提供される。
【０００７】
本発明の上記構成において、前記駆動溝の前記第１及び第２表面と平行な断面積は互いに同一あってもよく、前記駆動溝は円筒形溝であってもよい。
【０００８】
また、前記電界駆動反射型表示装置は、前記駆動溝内には不活性気体、窒素、乾燥空気のうちの少なくとも１つが充填されていてもよく、前記駆動溝内は真空状態であってもよい。
【０００９】
また、前記反射体は球形であってもよく、前記反射体の直径は前記駆動溝の直径より小さいのが好ましい。
【００１０】
また、前記隔壁の第１表面と前記第１電極の間に形成されている第１絶縁層と、前記隔壁の第２表面と前記第２電極の間に形成されている第２絶縁層をさらに含むことができる。
【００１１】
また、前記第１電極は複数で形成されており、前記第２電極は前記第１電極全てと対応する単一電極で形成されており、前記隔壁の第１表面側に形成され、前記電界駆動反射型表示装置は、前記第１電極それぞれと連結されていて前記第１電極それぞれに印加される電圧を制御するスイッチング素子をさらに含むことができる。
【００１２】
また、前記スイッチング素子は薄膜トランジスターであってもよい。
【００１３】
また、前記隔壁は黒色であってもよく、前記隔壁は黒色顔料を含む感光膜を所定のマスクとして使用して露光及び現像して形成することができる。
【００１４】
また、前記電界駆動反射型表示装置は、前記隔壁の第１表面と第２表面のうちのいずれか一方に形成されている遮光層をさらに含むことができる。
【００１５】
また、前記電界駆動反射型表示装置は、前記第１電極の外面と前記第２電極の外面のうちの少なくとも一側に配置されている絶縁基板をさらに含むことができる。
【００１６】
また、前記絶縁基板は、前記第１電極の外面に配置されている第１絶縁基板と、前記第２電極の外面に配置されている第２基板と、からなることができる。
【００１７】
また、前記第１電極のうちの１つは、複数の前記駆動溝と重なることができる。
【００１８】
また、前記第２電極は透明な導電物質からなることができ、ＩＴＯまたはＩＺＯからなることができる。
【００１９】
また、前記第１電極及び第２電極は帯状に形成されており、前記第１電極と前記第２電極は互いに交差することができる。
【００２０】
また、前記駆動溝は、前記隔壁内に形成されていて底を有することができる。
【００２１】
また、前記反射体によって光が反射される時間を調節することで階調を表示することができる。
【００２２】
また、前記第１電極と前記第２電極の間に断続的かつ反復的に電圧を印加して、前記反射体によって光が反射される時間を調節することができる。
【００２３】
また、前記第１電極と前記第２電極の間に印加する電圧の強さを異ならせて前記反射体の前記駆動溝内の位置を調節することで階調を表示することができる。
【発明の効果】
【００２４】
本発明による電界駆動反射型表示装置は、電気力を利用して白色、赤色、緑色または青色反射体の位置を調節することによって外部から入射されて反射体で反射される光量を調節して必要な表示を行うことができる。
【００２５】
上記及び他の本発明の特長や有利な点は、実施例と図面の詳細な記述により次第に明らかになる。
【発明を実施するための最良の形態】
【００２６】
以下、添付した図面を参照して本発明による好ましい一実施例を詳細に説明する。
【００２７】
図面で多様な層及び領域を明確に表現するために厚さを拡大して示した。明細書全体にわたって、同じ要素については同一の図面符号を付けた。層、膜、領域、板などの部分が他の要素の上に位置すると述べられている時、これは、その層、膜、領域、板などが他の要素の直上に位置する場合だけでなく、その中間に他の要素が位置する場合も含む。反対に、ある要素が他の要素の直上に位置すると述べられている時には、中間に他の要素が位置しないことを意味する。
【００２８】
図１は本発明の一実施例による電界駆動反射型表示装置の断面図である。
【００２９】
図１を参照すると、本発明の一実施例による電界駆動反射型表示装置は、光量を調節して画像を表示する装置であって、複数の駆動溝１５１と各駆動溝１５１内に入っており、電荷を有する反射体１５１を含む。各反射体１５１の表面は、白色にコーティングされている。
【００３０】
反射体１０１に電気力を加えて反射体１０１の位置を移動させ、これによって、外部から駆動溝１５１に入射され、反射体１０１によって反射される光Ａ、Ｂの量を調節することで所望する画像を表示する。
【００３１】
以下、本発明の一実施例による電界駆動反射型表示装置の構成及び作用について図１を参照して詳しく説明する。
【００３２】
ガラスなどからなる透明な絶縁基板１１０の一面に複数の画素電極１２０が形成されている。ここで、画素電極１２０はクロム（Ｃｒ）またはアルミニウム（Ａｌ）のような金属物質、または、インジウム錫酸化物（ＩＴＯ）やインジウム亜鉛酸化物（ＩＺＯ）などの透明な導電物質からなる。画素電極１２０は、行列または他の規則的な形態で配列されている。
【００３３】
絶縁基板１１０の上には、各画素電極１２０に印加される電圧を個別的にスイッチングするためのスイッチング素子１３０が形成される。スイッチング素子１３０は、画素電極１２０と接続されている。ここで、スイッチング素子１３０は薄膜トランジスターであってもよい。薄膜トランジスターをオンオフするための走査信号を伝達するゲート線（図示せず）と、画素電極１２０に印加される階調電圧を伝達するデータ線（図示せず）が互いに交差する形態で絶縁基板１１０の上に形成されていてもよい。
【００３４】
画素電極１２０とスイッチング素子１３０の上には第１絶縁層１４０が形成されている。ここで、第１絶縁層１４０は、窒化シリコン（ＳｉＮｘ）や酸化シリコン（ＳｉＯ２）などの無機絶縁物質で形成することもでき、樹脂などの有機絶縁物質で形成することもできる。また、第１絶縁層１４０は、スイッチング素子１３０の下に形成してもよい。
【００３５】
第１絶縁層１４０上には複数の駆動溝１５１を有する隔壁１５０が形成されている。隔壁１５０は光が透過する透明材料で形成することもでき、光が透過できない不透明物質で形成することもできる。隔壁１５０を黒色物質で形成して、不要な光が隔壁１５０を透過したり、隔壁１５０によって反射されて表示品質を低下させることを防止するのが好ましい。このような隔壁１５０は、黒色顔料を含む感光膜を所定のマスクとして使用して露光及び現像して形成することもでき、ナノプリンティング法で形成することもできる。
【００３６】
又は、感光膜をマスクとして使用して露光及び現像して隔壁１５０を形成した後、光が隔壁１５０を透過できないように後処理して形成することもできる。
【００３７】
駆動溝１５０は円筒形状である。隔壁の第１及び第２の表面と平行な各駆動溝１５１の断面の面積が互いに同一に形成されている。
【００３８】
各反射体１０１は、隔壁１５０の駆動溝１５１内部に位置しており、駆動溝１０１は、ネオン、ヘリウムなどの不活性気体で満たされている。前述のように、反射体１０１は不透明物質からなっており、表面には白色でコーティングされ、これにより、反射体から反射される光が白色を表示するようにする。更に、前述のように、反射体１０１は、電荷を有する。電荷は負または正の電荷であり得る。また、不活性気体の代わりに、駆動溝１５１には、窒素や乾燥した空気、または、反射体１０１が有する電荷を保存するのに適した他の気体を充填することもできる。又は、駆動溝内部を真空状態に維持することもできる。本実施例では反射体１０１は球形からなっている。これに代えて、駆動溝１５１の形状に応じて、円柱などの他の形を有することもできる。反射体１０１の直径ｄ１は駆動溝１５１の直径ｄ２より小さいことが好ましい。これは反射体１０１が駆動溝内部を大きな摩擦力を受けずに移動できるようにするためである。反射体１０１は、空洞を有するように形成して重量を減らすこともできる。
【００３９】
図１を参照すると、隔壁の左側表面には第２絶縁層２１０が形成されている。第２絶縁層２１０はフィルムの形で形成され得る。また、第２絶縁層２１０は窒化シリコンや酸化シリコンなどからなることもできる。
【００４０】
第２絶縁層２１０上には、ＩＴＯやＩＺＯなどの透明な導電材料からなる共通電極２２０が形成されている。
【００４１】
共通電極２２０上の隔壁１５０に対応する位置には画素領域を画する遮光層（図示せず）が形成されてもよく、これにより、遮光層は隣接する画素間の光が混合されることを防止する。隔壁１５０自体が遮光層の役割を果たす場合には省略してもよい。
【００４２】
そして、絶縁基板１１０及び共通電極２２０の外部にはそれぞれ保護フィルム１６０と２５０を形成することによって、外部の衝撃や異物から本発明の表示装置を保護する。
【００４３】
このような構造の電界駆動反射型表示装置の動作について説明する。
【００４４】
画素電極１２０と共通電極２２０の間に電圧が印加されると、それらの間に電界が形成され、電荷を帯びている白色の反射体１０１が電界の作用の下、駆動溝１５１に沿って移動する。したがって、画素電極１２０と共通電極２２０の間の電圧を調節することで、反射体１０１に作用する電界を調節することもでき、その結果、反射体１０１の位置を調節することができる。
【００４５】
反射体１０１の位置が変わることによって、外部から駆動溝１５１に入射する光の量と、反射体１０１によって反射される光の量が変わる。
【００４６】
つまり、図１に示したように、白色反射体１０１が共通電極２２０に隣接して位置した場合には、外部から入射した光Ｂが白い反射体１０１によって全部反射されるために白色が表示される。白色反射体１０１が画素電極１２０に隣接して位置した場合には、外部から入射した光Ａが白色反射体１０１によって反射されないために黒色が表示される。
【００４７】
したがって、画素電極１２０と共通電極２２０の間の電圧を調節して、白い反射体１０１の位置を調節することができ、その結果、反射される光の量を調節することができる。
【００４８】
以上では反射体１０１の駆動溝１５１内の位置を調整することによって反射される光量を調節する方法を説明したが、これとは異なって反射体１０１が光を反射する時間を調節することで光量を調節することもできる。
【００４９】
反射光の量は、駆動溝１５１内の反射体１０１の位置を調節することで制御することができるが、また、反射光の量は、反射体１０１が光を反射するときの反射する時間で調整することができる。以下、反射する光を制御する機構を詳細に説明する。
【００５０】
１つの画素が特定画像情報を連続的に表示する時間をフレームと定義する。１フレームの間に、白色反射体１０１が光を反射する時間を異ならせることにより、光量を調節することができる。例えば、１フレームの間に、反射体１０１が共通電極２２０に隣接した位置（ある例では、前記反射位置は、反射体１０１が画素電極１２０と隣接した位置になり得る）に留まる場合には、白色反射体１０１が光を反射する時間が１フレームの間に維持されるので、最も高階調である白状態を表示する。１フレームの間に反射体１０１が画素電極１２０に隣接した無反射位置に留まる場合には、白色反射体１０１が光を反射しない時間が１フレームの間に維持されるので、最も低階調である黒状態を表示する。１フレームの半分に相当する時間にのみ反射体１０１を前記反射位置に留まるようにするとき、中間階調を表示する。中間階調を制御するために、反射体１０１は当該階調に対応する時間だけ連続的に反射位置に留まるようにすることができる。代わりに、中間階調を制御するために、反射体１５１に対して反転される電圧を断続的かつ繰り返して印加することで、反射体１０１を駆動溝１５１内部で反射位置と無反射位置の間を往復させて調節することもできる。例えば、２５６階調を表示するように設計された電界駆動反射型表示装置で階調１５６を表示する場合、１フレームを２５６個の区間に分けて、１００個の区間に相当する時間の間に反射体１０１が連続的に反射位置に留まるようにすることにより、階調１５６に相当する明るさが得られる。これに代えて、反転する電圧を反射体１０１に印加することで、反射体１０１が反射位置と無反射位置を迅速に往復するようにして、反射体１０１が反射位置に留まる時間の合計が前記１００個区間に相当する時間になるようにして階調１５６に相当する明るさを表示することができる。
【００５１】
ここで、反射体１０１の大きさは数μｍ（ｍｉｃｒｏｍｅｔｅｒ）〜数十μｍ程度である。従って、反射体１０１は、数十ｍＶ〜数Ｖ程度の電圧で駆動することにより、非常に速い速度で動作するので、応答速度が非常に速くて精密な調節が可能な表示装置を提供することができる。反射体１０１の動作速度は重量に反比例するので、反射体１０１に空洞を形成して重量を減らすこともできる。
【００５２】
一方、反射体の表面に赤色、緑色及び青色をコーティングすることでカラー画像を表示することもできる。カラー画像の表示が可能な電界駆動反射型表示装置について図２を参照して詳しく説明する。
【００５３】
図２は本発明の他の実施例による電界駆動反射型表示装置を示す断面図である。
【００５４】
図２に示したように、ガラスなどからなる透明な絶縁基板１１０の一面に複数の画素電極１２０が形成されている。ここで、画素電極１２０はクロム（Ｃｒ）またはアルミニウム（Ａｌ）のような金属物質またはインジウム錫酸化物（ＩＴＯ）やインジウム亜鉛酸化物（ＩＺＯ）などの透明な導電物質からなる。画素電極１２０は、行列や他の規則的なパターンで配列されている。
【００５５】
絶縁基板１１０上には、各画素電極１２０に印加される電圧を個別的にスイッチングするためのスイッチング素子１３０が形成されている。スイッチング素子１３０は、画素電極１２０と接続されている。ここで、スイッチング素子１３０は薄膜トランジスターであってもよい。薄膜トランジスターをオンオフするための走査信号を伝達するゲート線（図示せず）と、画素電極１２０に印加される階調電圧を伝達するデータ線（図示せず）が互いに交差する形態で絶縁基板１１０上に形成されていてもよい。
【００５６】
画素電極１２０とスイッチング素子１３０の上には第１絶縁層１４０が形成されている。ここで、第１絶縁層１４０は、窒化シリコン（ＳｉＮｘ）や酸化シリコン（ＳｉＯ２）などの無機絶縁物質で形成することもでき、樹脂などの有機絶縁物質で形成することもできる。また、第１絶縁層１４０は、スイッチング素子１３０の下に形成してもよい。
【００５７】
第１絶縁層１４０上には複数の駆動溝１５１を有する隔壁１５０が形成されている。隔壁１５０は光が透過する透明材料で形成することもでき、光が透過できない不透明物質で形成することもできる。隔壁１５０を黒色物質で形成して、不要な光が隔壁１５０を透過したり、隔壁１５０によって反射されて表示品質を低下させることを防止するのが好ましい。このような隔壁１５０は、黒色顔料を含む感光膜を所定のマスクとして使用して露光及び現像して形成することもでき、ナノプリンティング法で形成することもできる。又は、感光膜をマスクとして使用して露光及び現像して隔壁１５０を形成した後、光が隔壁１５０を透過できないように後処理して形成することもできる。
【００５８】
駆動溝１５０は円筒形状である。各駆動溝１５１の断面領域は隔壁の第１、第２両表面と平行で互いに等しい。
【００５９】
各反射体１０１Ｒ，１０１Ｇ及び１０１Ｂは、隔壁１５０の駆動溝１５１内部に位置しており、駆動溝１０１はネオン、ヘリウムなどの不活性気体で満たされている。前述のように、反射体１０１Ｒ，１０１Ｇ及び１０１Ｂは不透明物質からなっており、表面は赤、緑、青に夫々コーティングされ、これにより、反射体１０１から反射される光が赤、緑、及び青色を表示するようにする。更に、前述のように、反射体１０１は、電荷を有する。電荷は負または正の電荷であり得る。また、不活性気体の代わりに、駆動溝１５１には、窒素や乾燥した空気、または、反射体１０１Ｒ，１０１Ｇ及び１０１Ｂが有する電荷を保存するのに適した他の気体を充填することもできる。又は、駆動溝内部を真空状態に維持することもできる。本実施例では反射体１０１Ｒ，１０１Ｇ及び１０１Ｂは球形からなっている。これに代えて、駆動溝１５１の形状に応じて、円柱などの他の形を有することもできる。反射体１０１Ｒ，１０１Ｇ及び１０１Ｂの直径ｄ１は駆動溝１５１の直径ｄ２より小さいことが好ましい。これは反射体１０１Ｒ，１０１Ｇ及び１０１Ｂが駆動溝内部を大きな摩擦力を受けずに移動できるようにするためである。反射体１０１Ｒ，１０１Ｇ及び１０１Ｂを空洞を有するように形成して重量を減らすこともできる。
【００６０】
図２を参照すると、隔壁の左側表面には第２絶縁層２１０が形成されている。第２絶縁層２１０はフィルムの形で形成され得る。また、第２絶縁層２１０は窒化シリコンや酸化シリコンなどからなることもできる。
【００６１】
共通電極２２０上の隔壁１５０に対応する位置には画素領域を画する遮光層（図示せず）が形成されてもよく、これにより、遮光層は隣接する画素間の光が混合されることを防止する。隔壁１５０自体が遮光層の役割を果たす場合には省略してもよい。
【００６２】
そして、絶縁基板１１０及び共通電極２２０の外部にはそれぞれ保護フィルム１６０と２５０を形成することによって、外部の衝撃や異物から本発明の表示装置を保護する。
【００６３】
このような構造の電界駆動反射型表示装置の動作について説明する。
【００６４】
共通電極２２０上の隔壁１５０に対応する位置には画素領域を画する遮光層（図示せず）が形成されてもよく、これにより、遮光層は隣接する画素間の光が混合されることを防止する。隔壁１５０自体が遮光層の役割を果たす場合には省略してもよい。
【００６５】
画素電極１２０と共通電極２２０の間に電圧が印加されると、それらの間に電界が形成され、電荷を帯びている赤、緑、及び青色の反射体１０１Ｒ、１０１Ｇ、及び１０１Ｂの夫々が電界の作用の下、駆動溝１５１に沿って移動する。したがって、画素電極１２０と共通電極２２０の間の電圧を調節することで、反射体１０１Ｒ、１０１Ｇ、及び１０１Ｂに作用する電界を調節することもでき、その結果、反射体１０１Ｒ、１０１Ｇ、及び１０１Ｂの位置を調節することができる。
【００６６】
反射体１０１Ｒ、１０１Ｇ、及び１０１Ｂの位置が変わることによって、外部から駆動溝１５１に入射する光の量と、反射体１０１Ｒ、１０１Ｇ、及び１０１Ｂによって反射される光の量が変わる。
【００６７】
つまり、図２に示したように、青色反射体１０１Ｂが共通電極２２０に隣接して位置するため、外部から入射した光Ｄが青色反射体１０１Ｂによって全部反射されるので、青色の最高階調を示す。赤色反射体１０１Ｒが画素電極１２０に隣接して位置するため、外部から入射した光Ｃが赤色反射体１０１Ｒによって反射できず、赤色を表示することができない。緑色反射体１０１Ｇは共通電極２２０と画素電極１２０の中間に位置するため、外部から入射した光の一部が緑色反射体１０１Ｇによって反射されるので、中間階調の緑色を表示する。
【００６８】
このように、画素電極１２０と共通電極２２０の間の電圧を調節して、赤色、緑色または青色反射体１０１Ｒ、１０１Ｇ、１０１Ｂの位置を調節することができ、その結果、反射される光の量を調節してカラー画像の表示が可能になる。
【００６９】
また、白色反射体１０１と同様に赤色、緑色または青色反射体１０１Ｒ、１０１Ｇ、１０１Ｂが光を反射する時の反射時間を個別に調節することによって光量を調節することもできる。
【００７０】
以上、能動型電界駆動反射型表示装置について説明したが、本発明は、受動型電界駆動反射型表示装置にも適用可能である。
【００７１】
図３乃至図６は、本発明の他の実施例による電界駆動反射型表示装置の断面図である。
【００７２】
まず、図３に示す実施例に従う受動型電界駆動反射型表示装置を参照すると、隔壁１５０の両面に第１及び第２絶縁層１４０，２１０が形成されており、２つの絶縁層（１４０、２１０）の外面にそれぞれ帯状形態の第１及び第２電極１２１，２２１が形成されている。ここで、第１電極１２１と第２電極２２１はその長さ方向が互いに直交する。
【００７３】
このような受動型表示装置では、複数の第１電極１２１のうちの１つと複数の第２電極２２１のうちの１つにそれぞれ電圧を印加すると、電圧が印加された２つの電極１２１と２２１が交差する位置の反射体１０１が電気力を受けて駆動される。
【００７４】
図４に示す実施例に従う電界駆動反射型表示装置では、隔壁１５０に形成されている駆動溝１５１が隔壁１５０を貫通せずに底を有する溝の形態で形成されている。隔壁１５０の一側面に遮光層２３０が形成され、遮光層２３０の上に第２電極２２１が形成されている。ここで、駆動溝が隔壁１５０を貫通しないので、第２電極２２１を反射体１０１と絶縁させるために、別途の絶縁層を設ける必要がない。このような形態の隔壁１５０は、ナノプリンティング法を使用して形成し易い。また、遮光層２３０を形成して隣接する駆動溝の間で光が混合されることを防止しているので、隔壁１５０を光が透過できる物質で形成することができる。
【００７５】
図５に示す実施例に従う電界駆動反射型表示装置では、図４の実施例と異なり、駆動溝１５１が隔壁１５０及び遮光層２３０を貫通するように形成され、その結果、遮光層２３０に形成された孔までも駆動溝１５１として使用されうる。さらに、第２電極２２１を反射体１０１と絶縁するために第２絶縁層２１０が設けられている。
【００７６】
図６に示す実施例に従う電界駆動反射型表示装置では、図５の実施例と異なり、遮光層２３０を第２電極２２１の外面に形成する点が特徴である。
【００７７】
本発明による電界駆動反射型表示装置において、白、赤、緑、及び青の反射体の位置が電気力を用いて調節され、外部から入射して反射体に入って反射体で反射された光の総量が調節可能であるため、所望の画像を表示できる。
【００７８】
本発明の好適な実施例と変形例を説明したが、本発明はこれら実施例や具体例に限定されない。しかし、本発明の特許請求の範囲、詳細な説明、及び添付した図面の範囲から離れることなく、多様な変形が可能である。よって、かかる変形例も本発明の範囲に属するものである。
【図面の簡単な説明】
【００７９】
【図１】本発明の一実施例による電界駆動反射型表示装置の断面図である。
【図２】本発明の他の実施例による電界駆動反射型表示装置の断面図である。
【図３】本発明の他の実施例による電界駆動反射型表示装置の断面図である。
【図４】本発明の他の実施例による電界駆動反射型表示装置の断面図である。
【図５】本発明の他の実施例による電界駆動反射型表示装置の断面図である。
【図６】本発明の他の実施例による電界駆動反射型表示装置の断面図である。
【符号の説明】
【００８０】
１０１    反射体
１１０    第１基板
１２０    画素電極
１２１    第１電極
１３０    スイッチング素子
１４０    第１絶縁層
１５０    隔壁
１５１    駆動溝
２１０    第２絶縁膜
２２０    共通電極
２２１    第２電極
２３０    遮光層
【図１】
2008535033.tif 000003
【図２】
2008535033.tif 000004
【図３】
2008535033.tif 000005
【図４】
2008535033.tif 000006
【図５】
2008535033.tif 000007
【図６】
2008535033.tif 000008
【国際調査報告】
2008535033.tif 000009
2008535033.tif 000010